(57)【要約】【課題】様々な形状の椅子に装着可能である汎用性を有する、椅子に着座した身体を保冷・保温できる椅子用保冷・保温具を提供する。【解決手段】第一の生地及び第二の生地から構成された袋状の収納部材と、第一の生地及び第二の生地の間に配置されて、屈曲自在に変形可能に構成された蓄熱部材と、蓄熱部材の表面を覆うように配置された不織布と、第一の生地及び第二の生地のいずれか一方に取り付けられた取付部材と、を備えて、取付部材と、第一の生地及び第二の生地のいずれか一方と、の間には、取付用開口部が形成されて、椅子用保冷・保温具は、取付用開口部を通じて、椅子の背もたれ及び／又は座に対して着脱自在に装着される。【選択図】図１
2013184030.tif 000002
【特許請求の範囲】
【請求項１】
椅子に装着される椅子用保冷・保温具であって、
第一の生地及び第二の生地から構成された袋状の収納部材と、
前記第一の生地及び第二の生地の間に配置されて、屈曲自在に変形可能に構成された蓄熱部材と、
前記蓄熱部材の表面を覆うように配置された不織布と、
前記第一の生地及び第二の生地のいずれか一方に取り付けられた取付部材と、を備えて、
前記取付部材と、前記第一の生地及び第二の生地のいずれか一方と、の間には、取付用開口部が形成されて、
前記椅子用保冷・保温具は、前記取付用開口部を通じて、前記椅子の背もたれ及び／又は座に対して着脱自在に装着されることを特徴とする椅子用保冷・保温具。
【請求項２】
前記取付部材は、前記第一の生地及び第二の生地に対する取付部材の取付状態を逆にできるような伸縮性を有することを特徴とする、請求項１に記載の椅子用保冷・保温具。
【請求項３】
前記蓄熱部材において、前記椅子用保冷・保温具のコーナー部分に対応する部分は、Ｃ面又はＲ面に面取りされていることを特徴とする、請求項１又は２に記載の椅子用保冷・保温具。
【請求項４】
前記取付部材は、袋状又は帯状に構成されていることを特徴とする、請求項１乃至３のいずれか一つに記載の椅子用保冷・保温具。
【請求項５】
前記蓄熱部材は、複数の蓄熱要素と、当該蓄熱要素をつなぐ境界接合部と、を備えることを特徴とする、請求項１乃至４のいずれか一つに記載の椅子用保冷・保温具。
【請求項６】
前記蓄熱部材は、局所的に厚みの厚い部分を備えることを特徴とする、請求項１乃至５のいずれか一つに記載の椅子用保冷・保温具。
【請求項７】
前記蓄熱部材の厚みの厚い部分は、前記蓄熱部材の重ね合わせによって形成されていることを特徴とする、請求項６に記載の椅子用保冷・保温具。
【請求項８】
背側から腹側にかけての形状にフィットするように湾曲した形状の芯材を収容するための芯材収容ポケットを有することを特徴とする、請求項１乃至７のいずれか一つに記載の椅子用保冷・保温具。
【請求項９】
前記芯材収容ポケットは、前記芯材を着脱自在に収容するように構成されていることを特徴とする、請求項８に記載の椅子用保冷・保温具。
【請求項１０】
前記芯材収容ポケットは、前記椅子用保冷・保温具の下端側であって、前記椅子用保冷・保温具の左右の二箇所に分割して設けられていることを特徴とする、請求項８又は９に記載の椅子用保冷・保温具。
【請求項１１】
前記第一の生地及び第二の生地は、異なった温度感覚を与えるように異なった素材から構成されていることを特徴とする、請求項１乃至１０のいずれか一つに記載の椅子用保冷・保温具。
【発明の詳細な説明】
【技術分野】
【０００１】
本発明は、椅子に着座した身体を保冷・保温するための椅子用保冷・保温具に関する。
【背景技術】
【０００２】
背中や腰部や尻部といった、身体の背面側を保冷・保温するための従来の用具として、例えば、背面側を保冷・保温するための背もたれデバイスが特許文献１に開示されている。
【０００３】
特許文献１に開示された背もたれデバイスは、全体が上向きに凸状に湾曲した上側凸面を有して、上側凸面には、ユーザの背中に当接してユーザの背中を加熱／冷却するための手段が配設されている。特許文献１に開示された加熱／冷却するための手段は、例えば、電気的に駆動される加熱素子や冷却素子、アイスパックや吸熱手段から構成されている。
【先行技術文献】
【特許文献】
【０００４】
【特許文献１】特開２０１０−５７９１５号公報
【発明の概要】
【発明が解決しようとする課題】
【０００５】
特許文献１に開示された背もたれデバイスは、ユーザが上側凸面の上に仰向け（背臥位）になることで、ユーザの背中を振動でマッサージする／ストレッチするとともに、ユーザの背中を加熱／冷却するものである。すなわち、特許文献１の背もたれデバイスは、ユーザが仰向けの姿勢になって使用するいわゆるマッサージ機の一種であり、背もたれ部及び座部が略Ｌ字状に屈曲した形態で配置された作業用あるいは事務用の椅子に対してユーザが着座して使用する椅子ではない。
【０００６】
特許文献１においては、加熱／冷却するための手段が筐体に対して一つの構成部材として埋設配置されているか、又は、冷却マットが取り外し可能な交換可能な部材として設置可能であると記載されている。したがって、背もたれデバイスという物品においては、横たわった姿勢のユーザの背中を加熱／冷却するということが開示されている。
【０００７】
しかしながら、特許文献１の背もたれデバイスは、そもそも、仰向け姿勢での背中をマッサージするための機械であり、人間が着座姿勢で用いる椅子ではない。そして、特許文献１に示された加熱／冷却するための手段は、特定の背もたれデバイスに専用のものであり、取り付け可能な場所が限定され、他のものに転用することが困難であるという汎用性の乏しいものである。
【０００８】
また、椅子の背もたれに取り付ける椅子カバーというものは存在するものの、椅子カバーは、一般に、背もたれを覆うことによって背もたれが汚れるのを防止するためのものである。すなわち、椅子カバーは、椅子に着座した身体を保冷・保温する機能を備えていない。このように、様々な形状の椅子に装着可能である汎用性を有する、椅子に着座した身体を保冷・保温できる椅子用保冷・保温具というものが従来存在しなかったのである。
【０００９】
したがって、本発明の解決すべき技術的課題は、様々な形状の椅子に装着可能である汎用性を有する、椅子に着座した身体を保冷・保温できる椅子用保冷・保温具を提供することである。
【課題を解決するための手段】
【００１０】
上記技術的課題を解決するために、本発明によれば、以下の椅子用保冷・保温具が提供される。
【００１１】
すなわち、本発明の請求項１に係る椅子用保冷・保温具では、
椅子に装着される椅子用保冷・保温具であって、
第一の生地及び第二の生地から構成された袋状の収納部材と、
前記第一の生地及び第二の生地の間に配置されて、屈曲自在に変形可能に構成された蓄熱部材と、
前記蓄熱部材の表面を覆うように配置された不織布と、
前記第一の生地及び第二の生地のいずれか一方に取り付けられた取付部材と、を備えて、
前記取付部材と、前記第一の生地及び第二の生地のいずれか一方と、の間には、取付用開口部が形成されて、
前記椅子用保冷・保温具は、前記取付用開口部を通じて、前記椅子の背もたれ及び／又は座に対して着脱自在に装着されることを特徴とする。
【００１２】
本発明の請求項２に係る椅子用保冷・保温具では、
前記取付部材は、前記第一の生地及び第二の生地に対する取付部材の取付状態を逆にできるような伸縮性を有することを特徴とする。
【００１３】
本発明の請求項３に係る椅子用保冷・保温具では、
前記蓄熱部材において、前記椅子用保冷・保温具のコーナー部分に対応する部分は、Ｃ面又はＲ面に面取りされていることを特徴とする。
【００１４】
本発明の請求項４に係る椅子用保冷・保温具では、
前記取付部材は、袋状又は帯状に構成されていることを特徴とする。
【００１５】
本発明の請求項５に係る椅子用保冷・保温具では、
前記蓄熱部材は、複数の蓄熱要素と、当該蓄熱要素をつなぐ境界接合部と、を備えることを特徴とする。
【００１６】
本発明の請求項６に係る椅子用保冷・保温具では、
前記蓄熱部材は、局所的に厚みの厚い部分を備えることを特徴とする。
【００１７】
本発明の請求項７に係る椅子用保冷・保温具では、
前記蓄熱部材の厚みの厚い部分は、前記蓄熱部材の重ね合わせによって形成されていることを特徴とする。
【００１８】
本発明の請求項８に係る椅子用保冷・保温具では、
背側から腹側にかけての形状にフィットするように湾曲した形状の芯材を収容するための芯材収容ポケットを有することを特徴とする。
【００１９】
本発明の請求項９に係る椅子用保冷・保温具では、
前記芯材収容ポケットは、前記芯材を着脱自在に収容するように構成されていることを特徴とする。
【００２０】
本発明の請求項１０に係る椅子用保冷・保温具では、
前記芯材収容ポケットは、前記椅子用保冷・保温具の下端側であって、前記椅子用保冷・保温具の左右の二箇所に分割して設けられていることを特徴とする。
【００２１】
本発明の請求項１１に係る椅子用保冷・保温具では、
前記第一の生地及び第二の生地は、異なった温度感覚を与えるように異なった素材から構成されていることを特徴とする。
【発明の効果】
【００２２】
請求項１に係る本発明では、椅子の背もたれ及び／又は座に対する装着の自由度が高いために様々な形状の椅子に装着できる汎用性を有するとともに、椅子に着座した身体を効果的に保冷・保温できるという効果を奏する。
【００２３】
請求項２に係る本発明では、椅子用保冷・保温具が、表裏使用可能である、言い換えればリバーシブルに使用可能であるという効果を奏する。
【００２４】
請求項３に係る本発明では、椅子用保冷・保温具をリバーシブルで使用したときに、椅子用保冷・保温具のコーナー部分に蓄熱部材の折り返し部分が出て来ないために、優れた美観を提供するという効果を奏する。
【００２５】
請求項４に係る本発明では、椅子に対する装着使用形態に合わせて適宜に選択できるという効果を奏する。
【００２６】
請求項５に係る本発明では、複数個に小さく分割された蓄熱要素からなる蓄熱部材が全体的に屈曲変形しやすくなるので、リバーシブル使用時の操作性や身体への密着性が向上するという効果を奏する。
【００２７】
請求項６に係る本発明では、背骨の湾曲した凹形状にフィットすることができるという効果を奏する。
【００２８】
請求項７に係る本発明では、単一種類の蓄熱パックを準備するだけで良いので、蓄熱部材の製造コストを抑えることができるという効果を奏する。
【００２９】
請求項８に係る本発明では、身体への密着性が向上するとともに、蓄熱部材を有効利用できるという効果を奏する。
【００３０】
請求項９に係る本発明では、ユーザのニーズに細かく応えることができるという効果を奏する。
【００３１】
請求項１０に係る本発明では、芯材が短寸になって、非使用時における芯材の保管が容易になるという効果を奏する。
【００３２】
請求項１１に係る本発明では、表裏をひっくり返して使用することにより、異なった温度感覚を楽しむことができるという効果を奏する。
【図面の簡単な説明】
【００３３】
【図１】本発明の第一実施形態に係る椅子用保冷・保温具の正面図である。
【図２】図１に示した椅子用保冷・保温具の背面図である。
【図３】図１に示した椅子用保冷・保温具のリバーシブルでの使用形態を説明する図である。
【図４】図１に示した椅子用保冷・保温具のＡ−Ａ断面図である。
【図５】図１に示した椅子用保冷・保温具のＢ−Ｂ断面図である。
【図６】本発明の第二実施形態に係る椅子用保冷・保温具の正面図である。
【図７】本発明の第二実施形態の変形例に係る椅子用保冷・保温具の正面図である。
【図８】本発明の第三実施形態に係る椅子用保冷・保温具を説明する断面図である。
【図９】本発明の第三実施形態の変形例に係る椅子用保冷・保温具の断面図である。
【図１０】本発明の第四実施形態に係る椅子用保冷・保温具を説明する図である。（Ａ）は保冷・保温具を正面側から見た斜視図であり、（Ｂ）は芯材を示し、（Ｃ）は保冷・保温具を側面から見た図である。
【発明を実施するための形態】
【００３４】
以下に、本発明の第一実施形態に係る椅子用保冷・保温具１を、図１乃至５を参照しながら詳細に説明する。
【００３５】
図１は、本発明の第一実施形態に係る椅子用保冷・保温具１の正面図である。図１に示した椅子用保冷・保温具１は、収納部材３と、袋状取付部材３０と、蓄熱部材６０と、を備えている。椅子用保冷・保温具１は、椅子の背もたれ及び／又は座に対して着脱自在に装着されるように構成されている。収納部材３は、正面視、方形形状をしており、椅子用保冷・保温具１が取り付けられる椅子の背もたれ又は座の一部分の領域又は全部の領域又はそれ以上の広い領域を覆うように寸法構成されている。椅子用保冷・保温具１が装着されるのに好適な対象は、ユーザが着座して使用する椅子、すなわち、背もたれ部及び座部が略Ｌ字状に屈曲した形態で配置されている作業用あるいは事務用の椅子である。
【００３６】
収納部材３は、方形形状をした第一の生地１０及び第二の生地２０の各周縁を固着することにより袋状に構成されている。
【００３７】
第一の生地１０は、綿１００％の生地が好適である。その他には、ポリエステル生地やポリアミド系合成繊維の生地や麻の生地も使用可能である。綿の生地は、ユーザの肌に密着して温熱又は冷熱を伝えやすいので、ハードな温度感覚を提供する。
【００３８】
第二の生地２０は、ポリエステル１００％のハニカム立体構造生地が好適である。その他には、綿の生地やポリアミド系合成繊維の生地や麻の生地も使用可能である。ハニカム立体構造の生地を例示すると、ダブルラッシェルの素材（例えば、福井編物製の品番：ハニカム１０００）を用いることができる。ハニカム立体構造の生地は、クッション性及び通気性のある材質であり、ユーザの肌に密着しにくくて温熱又は冷熱を伝えにくいので、ソフトな温度感覚を提供する。
【００３９】
第一の生地１０及び第二の生地２０は、異なった素材としているが、同じ素材とすることもできる。異なった素材を用いる構成は異なった２つの温度感覚（冷感又は温感）を提供し、同じ素材を用いる構成は部品点数の削減や製造コストの低減に寄与するという効果を奏する。
【００４０】
収納部材３は、第一の生地１０の４辺を第二の生地２０の上辺、左辺、下辺、右辺の各４辺に対して、それぞれ、縫合又は接着又は熱融着によって固着することにより袋状に形成されている。図１に例示した収納部材３では、第一の生地１０及び第二の生地２０を重ね合わせて、それらの各周縁をバイピングテープ１５（終端処理部材）と一緒に縫合している。その結果、第一の生地１０及び第二の生地２０は、周縁固着部１２によって固着されている。周縁固着部１２は、縫合又は接着又は熱融着によって、図示したように例えば縫合によって、形成されている。収納部材３は、横方向に延びる端部側間仕切部２４及び中央側間仕切部２５によって間仕切りされた複数の収納室５を有する。間仕切部２４，２５は、縫合又は接着又は熱融着によって、図示したように例えば縫合によって、形成されている。図１においては、横方向に延びる収納室５が３つ形成されていて、各収納室５には、横方向に延びる蓄熱部材６０がそれぞれ収容されている。
【００４１】
終端処理部材としてのバイピングテープ１５（ヘムテープ）によって、保冷・保温具１を構成する部材の各周縁が、縫合又は接着又は熱融着によって、図示したように例えば縫合によって、一体的に固着されている。図４に示すように、袋状取付部材３０が存在する椅子用保冷・保温具１の上側部分では、上から順に、袋状取付部材３０、第二の生地２０、不織布２２、蓄熱部材６０及び第一の生地１０が積層された状態で、縫合又は接着又は熱融着によって、図示したように例えば縫合によって、一体的に固着されている。また、袋状取付部材３０が存在しない椅子用保冷・保温具１の下側部分では、上から順に、第二の生地２０、不織布２２、蓄熱部材６０及び第一の生地１０が積層された状態で、縫合又は接着又は熱融着によって、図示したように例えば縫合によって、一体的に固着されている。
【００４２】
収納部材３を構成する第一の生地１０及び第二の生地２０が多少なりとも伸縮性を有するために、収納部材３の形状や寸法が変化しやすい。そこで、図４及び５の断面図に示すように、不織布２２が蓄熱部材６０の表面を覆うように、不織布２２が収納部材３の中に配置されている。好適には、不織布２２が、第二の生地２０と蓄熱部材６０との間に介在配置されている。したがって、図４及び５に示した収納部材３においては、上から順に、第二の生地２０、不織布２２、蓄熱部材６０及び第一の生地１０が積層されている。それらの周縁は、周縁固着部１２によって一体的に固着されている。
【００４３】
不織布２２は、織りや編みでは無い、通気性を持ったものが好適である。不織布は、薄いシート状の繊維集合体であるウェブを作成したあと、公知の方法で当該ウェブ中の繊維同士の結合又は接着（化学的接着、熱的接着又は機械的結合）を行うことによって製造される。例えば、ポリエステル１００％の素材（例えば、東洋紡製、エクーレ、品番：３５１０Ｂ）を用いることができる。その他には、ポリエチレンやポリアミド系合成繊維の不織布を用いることができる。
【００４４】
したがって、実質的に伸縮性を有さない不織布２２を含む収納部材３は、微視的に見て、ある規則的な繰り返し構造を持たない不規則な（ランダムな）交錯構造を備えることになるので、収納部材３は、伸長特性に関して方向性を有しなくなる。すなわち、不織布２２を有する収納部材３は、縦横方向の伸長度と斜め方向の伸長度とがほとんど変わらない特性、言いかえれば、引張力に対して略等方的な形状安定性を有する。
【００４５】
図５に示すように、蓄熱部材６０は、合成樹脂ベース体（例えば、ポリアミド系樹脂フィルム）と合成樹脂接合層（例えば、ポリエチレン樹脂フィルム）とを積層したラミネート樹脂フィルムの袋体基材を折り曲げた上で重ね合わせて、左辺と下辺とを熱圧着（ヒートシール）して袋状体を形成し、形成された袋状空間に含水ゲル状蓄熱材６３を封入したあと上辺の開口部を熱圧着（熱融着）して封止したものである。接着によって封止することもできる。
【００４６】
ラミネートフィルムとしては、エチレン・酢酸ビニル共重合体やエチレン・メチルメタクリレート共重合体等も使用可能である。後述するゲル状の蓄熱剤の成分が透過して漏出しないように、すなわち高いバリア性を得るために、ナイロンフィルムの厚みを厚くしたり、ナイロンフィルムの上にアルミニウムをコーティングしたりすることもできる。
【００４７】
ゲル状蓄熱剤６３としては、保冷剤として公知である様々な材料が使用可能であるが、ポリアクリル酸ナトリウムに多量の水を含んだゲル状物質や、硫酸ナトリウム１０水塩（Ｎａ2ＳＯ4・１０Ｈ2Ｏ）と水（Ｈ2Ｏ）とを適量調合した硫酸ナトリウム１０水塩が例示される。
【００４８】
蓄熱部材６０は、各収容室５に挿入可能であるように寸法構成されている。蓄熱部材６０において、熱圧着（熱融着）によって封止された部分は、長手直交境界接合部６４、左右の長手直交周縁接合部６５及び長手周縁接合部６６として形成されている。図５に示した椅子用保冷・保温具１では、３つの長手直交境界接合部６４を備えている。
【００４９】
蓄熱部材６０を各収納室５に収容した際に、蓄熱部材６０が収容室５の中で位置ズレを起こさないように、蓄熱部材６０は、縫合又は接着又は熱融着等の固着手段によって収納部材３に固着されている。図１乃至３に示すように、蓄熱部材６０の長手直交境界接合部６４が収納部材３に対して、縫合又は接着又は熱融着によって、図示したように例えば縫合によって、固着されている。当該長手直交に延びる固着部分は、長手直交境界固着部２８である。蓄熱部材６０の左右の長手直交周縁接合部６５が収納部材３に対して縫合又は接着又は熱融着によって、図示したように例えば縫合によって、固着されている。当該長手直交に延びる固着部分は周縁固着部１２の一部分である。他方、図４に示すように、蓄熱部材６０の長手周縁接合部６６が収納部材３に対して固着されずに、フリーになっている。したがって、第一実施形態に係る椅子用保冷・保温具１では、蓄熱部材６０の長手直交方向に延びる長手直交境界接合部６４及び左右の長手直交周縁接合部６５が収納部材３との固着に用いられている。
【００５０】
蓄熱部材６０は、複数の長手直交境界接合部６４によって、複数の小さな蓄熱要素６２に分割されている。長手直交境界接合部６４は、蓄熱部材６０の収納された収納部材３を折り畳むときの長手直交境界接合部６４を折り目として用いることができる。蓄熱部材６０が複数個に小さく分割された蓄熱要素６２からなることにより、蓄熱部材６０が全体的に屈曲自在に変形可能になる。その結果、蓄熱部材６０に関して、リバーシブル使用時の操作性や身体への密着性が向上する。第一実施形態に係る椅子用保冷・保温具１では、横長の方形形状をしている蓄熱部材６０が、３つの長手直交境界接合部６４によって、４つの小さな蓄熱要素６２に分割されている。図４に示すように、上側位置の蓄熱部材６０では、その長手周縁接合部６６が上側端部の方を向くように配置されている。また、中間位置の蓄熱部材６０では、その長手周縁接合部６６が上側端部の方を向くように配置されている。さらに、下側位置の蓄熱部材６０では、その長手周縁接合部６６が下側端部の方を向くように配置されている。
【００５１】
また、蓄熱部材６０のうち、椅子用保冷・保温具１のコーナー部１６に対応する部分を、Ｃ面又はＲ面に面取りすることが好ましい。例えば、長手周縁接合部６６と長手直交周縁接合部６５とが交わるコーナー部を金型で打ち抜くことにより、蓄熱部材６０のコーナー部をＣ面又はＲ面に加工することができる。蓄熱部材６０を折り畳んで変形させることができるので、図１に示すように、袋状取付部材３０を第二の生地２０に面する側に配置したり、図３に示すように、袋状取付部材３０を第一の生地１０に面する側に配置したりして、椅子用保冷・保温具１を裏表使用可能（リバーシブル）とすることができる。椅子用保冷・保温具１をリバーシブルで使用したときに、椅子用保冷・保温具１のコーナー部１６において蓄熱部材６０の折り返し部分が突出してこないために、優れた美観を提供するという効果を奏する。
【００５２】
椅子用保冷・保温具１の上側部分では、袋状取付部材３０が縫合又は接着又は熱融着等の固着手段によって収納部材３に一体的に固着されている。図１乃至３に示すように、袋状取付部材３０の上縁部及び左右の側縁部が収納部材３に対して、縫合又は接着又は熱融着によって、図示したように例えば縫合によって、固着されている。袋状取付部材３０の縦方向の長さは、例えば、収納部材３の縦方向の長さに対して３０％乃至７０％である。袋状取付部材３０の縦方向の長さは、好適には、４０％乃至６０％である。
【００５３】
袋状取付部材３０は、縦方向及び横方向の両方向に弾性的に伸縮する素材からなることが好ましい。袋状取付部材３０は、第一の生地１０及び第二の生地２０のいずれか一方に対する袋状取付部材３０の取付状態を逆にできる（リバーシブルで使用可能である）ような伸縮性を有する。弾性的に伸縮する袋状取付部材３０は、編地、織地、強撚布又はネット地、或いはスパンボンド不織布に伸縮糸又は伸縮糸と非伸縮糸を編みこんだ不織布伸縮性編地等から構成される。
【００５４】
袋状取付部材３０が編地から構成される場合、例えば、毛、綿、麻、絹、アクリル、ポリアミド系合成繊維、ポリウレタン合成繊維、それらの混紡により編み上げられている。その編み方はトリコット編、ラッシェル編、ミラニーズ編を含む経メリヤス及び、平型編、円形編を含む緯（ヨコ）メリヤス編み等によって仕上げられている。編み物本来の特性である伸縮性に、ゴム糸及び弾性糸による伸縮性を加えることも可能である。編地で構成された袋状取付部材３０は、良好な風合い（肌触り）や通気性を提供する。本発明を限定しない袋状取付部材３０の伸縮自在な素材を例示すると、薄さ、柔らかさ、伸長度、美観等の面から、ポリアミド系繊維やポリエステル繊維と共にポリウレタン繊維（スパンデックス）が編みこまれている繊維を用いた、縦編みの編み地である２ウェイトリコット生地が好適である。
【００５５】
袋状取付部材３０が織地やネット地から構成される場合、例えば、ポリアミド系繊維、ポリエステル繊維等の合成繊維に「Ｓ撚り」、「Ｚ撚り」等の特殊加工を施すことにより伸縮性を持たせたストレッチヤーン、テックスチヤードヤーン、コンシュゲートヤーンやポリウレタン系弾性糸等のように伸縮性の大きな合繊糸を単独で編成したものや、このような合繊糸とポリエステル繊維や綿、レーヨン、ポリプロピレン、ポリエチレン、セルロース等のように伸縮性の小さな繊維とを混合して編成したものが利用可能である。
【００５６】
また、袋状取付部材３０は、天然ゴム又は合成ゴムの伸縮性薄膜から構成されてもよい。その場合、ゴムとしては、天然ゴム、或いはポリクロロプレンゴム、ポリブタジエンゴム、ポリイソプレンゴム、ポリイソブチレンゴム、アクリルゴム、ウレタンゴム、シリコーンゴム等の合成ゴムが用いられる。良好な伸縮特性面から、天然ゴムが好ましい。
【００５７】
袋状取付部材３０の上端部が閉じられているのに対して、袋状取付部材３０の下端部３３が開いている。図１に示した場合、袋状取付部材３０の下端部３３と第二の生地２０との間には、取付用開口部３４が形成されている。図３に示した場合、袋状取付部材３０の下端部３３と第一の生地１０との間には、取付用開口部３４が形成されている。取付用開口部３４は、椅子の背もたれ又は座に取り付けるための開口である。袋状取付部材３０の上端部が、椅子の背もたれ又は座に覆い被さるように係合することで、椅子用保冷・保温具１を椅子の背もたれ又は座に装着することができる。袋状取付部材３０と椅子の背もたれ又は座との係合を解除することで、椅子用保冷・保温具１を椅子の背もたれ又は座から取り外すことができる。したがって、椅子用保冷・保温具１は、取付用開口部３４を通じて、椅子の背もたれ又は座に対して着脱自在に簡便に装着される。
【００５８】
袋状取付部材３０の取付用開口部３４は、椅子の背もたれ又は座への装着、及び、リバーシブルでの使用のために形成されている。袋状取付部材３０が弾性的に伸縮することは、取付用開口部３４の開口領域が拡大するためにリバーシブル使用時の操作性を向上させるが、必須ではない。蓄熱部材６０が複数の小さな蓄熱要素６２に分割されていて、蓄熱部材６０が屈曲して折り畳んで変形可能である。したがって、袋状取付部材３０が弾性的に伸縮しなくとも、椅子用保冷・保温具１をリバーシブルで使用することができる。このとき、取付用開口部３４が、第一の生地１０又は第二の生地２０に対して所定の距離で離間してある大きさの隙間が存在していれば、様々な形状をした椅子の背もたれ又は座への装着、及び、リバーシブルでの使用をスムーズに行うことができる。
【００５９】
したがって、第一実施形態に係る椅子用保冷・保温具１によれば、様々な形状の椅子に対応できる高い汎用性と、椅子に着座した身体の効果的な保冷・保温とを、提供するという効果を奏する。
【００６０】
次に、本発明の第二実施形態に係る椅子用保冷・保温具１について、図６及び７を参照しながら説明する。
【００６１】
上述した第一実施形態では袋状取付部材３０を用いているのに対して、当該第二実施形態では、帯状取付部材４０を用いることを特徴としている。その他の構成は、上記第一実施形態の椅子用保冷・保温具１のものと実質的に同じである。したがって、第一実施形態との相違点を中心に説明する。
【００６２】
第二実施形態では、椅子用保冷・保温具１の上側部分では、帯状取付部材４０が縫合又は接着又は熱融着等の固着手段によって収納部材３に一体的に固着されている。図６に示すように、帯状取付部材４０は、横方向に延びる１つの横方向帯状体４２と、縦方向に延びる２つの縦方向帯状体４３と、から構成されている。２つの縦方向帯状体４３は、収納部材３の横方向に所定の距離で離間するように略対称に配置されている。
【００６３】
２つの縦方向帯状体４３の上端部が、それぞれ、収納部材３の上縁部に対して、縫合又は接着又は熱融着によって、図示したように例えば縫合によって、固着されている。２つの縦方向帯状体４３の下端部が、それぞれ、横方向帯状体４２の上縁部に対して、縫合又は接着又は熱融着によって、図示したように例えば縫合によって、固着されている。横方向帯状体４２の左右の側端部が、それぞれ、収納部材３の左右の側縁部に対して、縫合又は接着又は熱融着によって、図示したように例えば縫合によって、固着されている。２つの縦方向帯状体４３の縦方向の長さは、例えば、収納部材３の縦方向の長さに対して３０％乃至７０％である。２つの縦方向帯状体４３の縦方向の長さは、好適には、４０％乃至６０％である。
【００６４】
椅子の背もたれ又は座への装着、及び、リバーシブルでの使用の面から、帯状取付部材４０は、縦方向及び横方向の両方向に弾性的に伸縮する素材からなることが好ましいが、必須ではない。第一の生地１０及び第二の生地２０のいずれか一方に対する帯状取付部材４０の取付状態を逆にできる（リバーシブルで使用可能な）程度の伸縮性を有する。弾性的に伸縮する帯状取付部材４０は、編地、織地、強撚布又はネット地、或いはスパンボンド不織布に伸縮糸又は伸縮糸と非伸縮糸を編みこんだ不織布伸縮性編地等から構成される。
【００６５】
帯状取付部材４０の取付場所に依存するが、取付用開口部４４は、帯状取付部材４０の横方向帯状体４２と第二の生地２０との間、又は、帯状取付部材４０の横方向帯状体４２と第一の生地１０との間、に形成されている。取付用開口部４４は、椅子の背もたれ又は座に取り付けるための開口である。帯状取付部材４０もリバーシブルでの使用を可能にする。２つの縦方向帯状体４３が、椅子の背もたれ又は座に覆い被さるように係合することで、椅子用保冷・保温具１を椅子の背もたれ又は座に装着することができる。帯状取付部材４０と椅子の背もたれ又は座との係合を解除することで、椅子用保冷・保温具１を椅子の背もたれ又は座から取り外すことができる。したがって、図６に示す帯状取付部材４０を有する椅子用保冷・保温具１は、取付用開口部４４を通じて、椅子の背もたれ又は座に対して着脱自在に簡便に装着される。帯状取付部材４０を用いることは、取付部材の形成に要する材料量が少なくて済むので、低コスト化に貢献する。
【００６６】
帯状取付部材４０の取付用開口部４４は、椅子の背もたれ又は座への装着、及び、リバーシブルでの使用のために形成されている。帯状取付部材４０が弾性的に伸縮することは、取付用開口部４４の開口領域が拡大するためにリバーシブル使用時の操作性を向上させるが、必須ではない。蓄熱部材６０が複数の蓄熱要素６２に分割されていて、蓄熱部材６０が屈曲して折り畳まれて変形可能に構成されているので、帯状取付部材４０が弾性的に伸縮しなくとも、椅子用保冷・保温具１をリバーシブルで使用することができる。このとき、取付用開口部４４が、第一の生地１０又は第二の生地２０に対して所定の距離で離間してある大きさの隙間が存在していれば、椅子の背もたれ又は座への装着、及び、リバーシブルでの使用をスムーズに行うことができる。
【００６７】
図７に示した椅子用保冷・保温具１は、図６に示した椅子用保冷・保温具１の変形例である。図７において、帯状取付部材４０は、横方向に延びる１つの横方向帯状体４２と、縦方向に延びる１つの縦方向帯状体４３と、から構成されている。縦方向帯状体４３は、収納部材３の横方向の中間位置に配置されている。
【００６８】
縦方向帯状体４３の上端部が、収納部材３の上縁部に対して、縫合又は接着又は熱融着によって、図示したように例えば縫合によって、固着されている。縦方向帯状体４３の下端部が、横方向帯状体４２の上縁部に対して、縫合又は接着又は熱融着によって、図示したように例えば縫合によって、固着されている。横方向帯状体４２の左右の側端部が、それぞれ、収納部材３の左右の側縁部に対して、縫合又は接着又は熱融着によって、図示したように例えば縫合によって、固着されている。２つの縦方向帯状体４３の縦方向の長さは、例えば、収納部材３の縦方向の長さに対して３０％乃至７０％である。２つの縦方向帯状体４３の縦方向の長さは、好適には、４０％乃至６０％である。
【００６９】
帯状取付部材４０の取付場所に依存するが、取付用開口部４４は、帯状取付部材４０の横方向帯状体４２と第二の生地２０との間、又は、帯状取付部材４０の横方向帯状体４２と第一の生地１０との間、に形成されている。取付用開口部４４は、椅子の背もたれ又は座に取り付けるための開口である。帯状取付部材４０はリバーシブルでの使用を可能にする。縦方向帯状体４３が、椅子の背もたれ又は座に覆い被さるように係合することで、椅子用保冷・保温具１を椅子の背もたれ又は座に装着することができる。帯状取付部材４０と椅子の背もたれ又は座との係合を解除することで、椅子用保冷・保温具１を椅子の背もたれ又は座から取り外すことができる。したがって、図７に示す帯状取付部材４０を有する椅子用保冷・保温具１は、取付用開口部４４を通じて、椅子の背もたれ又は座に対して着脱自在に簡便に装着される。
【００７０】
帯状取付部材４０の取付用開口部４４は、椅子の背もたれ又は座への装着、及び、リバーシブルでの使用のために形成されている。帯状取付部材４０が弾性的に伸縮することは、取付用開口部４４の開口領域が拡大するためにリバーシブル使用時の操作性を向上させるが、必須ではない。蓄熱部材６０が複数の蓄熱要素６２に分割されていて、蓄熱部材６０が屈曲して折り畳まれて変形可能に構成されているので、帯状取付部材４０が弾性的に伸縮しなくとも、椅子用保冷・保温具１をリバーシブルで使用することができる。このとき、取付用開口部４４が、第一の生地１０又は第二の生地２０に対して所定の距離で離間してある大きさの隙間が存在していれば、椅子の背もたれ又は座への装着、及び、リバーシブルでの使用をスムーズに行うことができる。
【００７１】
したがって、図６に示した第二実施形態と同様に、図７に示す帯状取付部材４０を有する第二実施形態の変形例に係る椅子用保冷・保温具１も、取付用開口部４４を通じて、椅子の背もたれ又は座に対して着脱自在に簡便に装着される。
【００７２】
したがって、第二実施形態に係る椅子用保冷・保温具１によれば、椅子の背もたれ又は座に対する着脱自在で簡便な装着及びリバーシブルな使用と、取付部材の低コスト化とを、提供するという効果を奏する。
【００７３】
次に、本発明の第三実施形態に係る椅子用保冷・保温具１について、図８及び９を参照しながら説明する。
【００７４】
上述した第一実施形態では収納室５のそれぞれには単一種類の蓄熱部材６０が１つだけ収納されているので、蓄熱部材６０の収納された各収納部材３の厚みが実質的に同じになっている。それに対して、当該第三実施形態では、蓄熱部材６０の収納された収納部材３の厚みが、収納室５の場所により局部的に異なることを特徴としている。その他の構成は、上記第一実施形態の椅子用保冷・保温具１のものと実質的に同じである。したがって、第一実施形態のものとの相違点を中心に説明する。
【００７５】
図８に示した椅子用保冷・保温具１では、設けられた３つの収納室５のうち、下から二番目の収納室５（図８では右から二番目に位置する収容室５）において、２つの蓄熱部材６０が厚み方向に重ねて収容されている。それ以外の収容室５、すなわち上から一番目の収納室５（図８では右から一番目に位置する収容室５）及び一番下側の収納室５（図８では右から三番目に位置する収容室５）において、１つの蓄熱部材６０が収容されている。その結果、蓄熱部材６０の収納された収納部材３において、上から二番目の収納室５の厚みすなわち突出高さが、他の収納室５のそれよりも高くなっている。
【００７６】
同様に、図９に示した第三実施形態の変形例に係る椅子用保冷・保温具１では、設けられた３つの収納室５のうち、一番下側の収納室５（図９では右から三番目に位置する収容室５）において、２つの蓄熱部材６０が厚み方向に重ねて収容されている。それ以外の収容室５、すなわち上から一番目の収納室５（図８では右から一番目に位置する収容室５）及び上から二番目の収納室５（図８では右から二番目に位置する収容室５）において、１つの蓄熱部材６０が収容されている。その結果、蓄熱部材６０の収納された収納部材３において、一番下側の収納室５の厚みすなわち突出高さが、他の収納室５のそれよりも高くなっている。
【００７７】
蓄熱部材６０の収納された収納部材３において、他よりも多数の蓄熱部材６０が収納されて他よりも突出した場所の収納室５（図８では右から二番目に位置する収容室５であり、図９では右から三番目に位置する収容室５）は、椅子の座に着座した身体との密着性を高めることに貢献する。突出した収納室５は、椅子の座に着座した身体の湾曲した背骨から腰骨にかけて存在する背面の湾曲した凹形状にフィットして、湾曲した背骨を適宜にサポートすることで、快適性と、適度の温度感覚（冷感又は温感）と、を着座したユーザに提供する。
【００７８】
図８及び９に開示した蓄熱部材６０の収納された収納部材３において、単一種類の蓄熱部材６０を積層することにより、部分的に突出高さが高くなった収納部材３を形成することは、蓄熱部材６０の製造コストを抑えることができる。また、積層して収納される蓄熱部材６０の数も、例示した２個だけでなく、３個以上であってもよい。さらに、他よりも肉厚の厚い蓄熱部材６０を少なくとも１つ準備して、所望とする部分に対して当該肉厚の蓄熱部材６０を収納することにより、部分的に突出高さが高くなった収納部材３を形成してもよい。
【００７９】
３つの収納室５が設けられた収納部材３について例示したが、部分的に突出高さが異なるようにする場合、設けられる収納室５の数に応じて、突出した場所をどこに形成するかは当然に変動する。要は、背面の湾曲した凹形状に対応する場所の収容室５と、蓄熱部材６０の収納された収容室５の突出高さとを、背面の湾曲した凹形状にフィットするように如何にして最適化するかがポイントである。
【００８０】
したがって、第三実施形態に係る椅子用保冷・保温具１によれば、背面の湾曲した凹形状にフィットして、湾曲した背骨を適宜にサポートすることにより、快適性と、適度の温度感覚（冷感又は温感）とを、椅子に着座したユーザに提供するという効果を奏する。
【００８１】
なお、第三実施形態のさらなる変形例としては、以下のように、部分的に突出高さを高くなった部分が縦方向に延びるように構成することができる。すなわち、上記収納部材３では、収納室５が横方向に延びて蓄熱部材６０が横方向に延びるように収納されている。しかしながら、収納室５が縦方向に延びて蓄熱部材６０が縦方向に延びながら収納されるように収納部材３を構成することもできる。この場合、収納部材３において、ユーザの背中における背骨の凹形状にフィットするように、上記と同様の手法で、部分的に突出高さを高くなった部分が縦方向に延びるように構成してもよい。
【００８２】
次に、本発明の第四実施形態に係る椅子用保冷・保温具１について、図１０を参照しながら説明する。図１０において、（Ａ）は椅子用保冷・保温具１を正面（第二の生地２０の側）から見た斜視図であり、（Ｂ）は芯材５４を示す図であり、（Ｃ）は椅子用保冷・保温具１を側面から見た図である。
【００８３】
上述した第一実施形態では、蓄熱部材６０の収納された収納部材３が略平面状に延在するのに対して、当該第四実施形態では、蓄熱部材６０の収納された収納部材３が少なくとも部分的に湾曲面を有するように芯材５４を用いることを特徴としている。その他の構成は、上記第一実施形態の椅子用保冷・保温具１のものと実質的に同じである。したがって、第一実施形態のものとの相違点を中心に説明する。
【００８４】
図１０（Ａ）に示すように、収納部材３の下端側には、横方向に延びる左右の芯材収容ポケット５０が形成されている。左右の芯材収容ポケット５０の側縁側において、芯材５４を出し入れするための出し入れ開口５２がそれぞれ形成されている。芯材５４は、椅子の座に着座したユーザの身体の背側から腹側にかけての形状にフィットするように湾曲した形状（例えば、半円筒形や半楕円形の板状体）をしている。芯材５４は、金属やプラスチック等からなる弾性を有する保形体であり、左右の芯材収容ポケット５０に挿入して使用される。
【００８５】
芯材５４の無い収納部材３は略平面状に延在する形状であるので、側面側に回り込むことが困難である。したがって、芯材５４の無い収納部材３では、身体への密着性が不足して、蓄熱部材を有効していないという面がある。これに対して、芯材５４の使用によって、身体の背側から腹側にかけての形状にフィットした湾曲状態を保持することができるので、収納部材３の身体への密着性が向上するとともに、蓄熱部材６０を有効利用できる。ユーザの芯材５４の要否に応じて、芯材５４を収納部材３に対して脱着できる構成になっているので、ユーザのニーズに細かく応えることができる。
【００８６】
芯材５４は、収納部材３の幅方向に延びる一つのものから構成してもよいが、左右２つの芯材５４に分割した構成にすることが好適である。芯材５４を左右２つに分割した短寸の構成にすることで、芯材５４の使用を不要とするときに芯材５４をコンパクトに保管できるので、保管が容易になり、保管時の省スペース化にも貢献する。また、図１０に示した例では、芯材５４を収納部材３の下端側に配置しているが、芯材５４を縦方向の中間位置や上端側に配置することで、中間位置や上端側に湾曲面を形成するようにしてもよい。
【００８７】
したがって、第四実施形態に係る椅子用保冷・保温具１によれば、身体への密着性の向上と、蓄熱部材６０の有効利用とを、提供するという効果を奏する。
【００８８】
なお、上記実施形態では、椅子の背もたれへの椅子用保冷・保温具１の装着を中心に説明したが、本発明の椅子用保冷・保温具１は、椅子の座にも装着することができる。さらに、２つの椅子用保冷・保温具１を準備して、それぞれの椅子用保冷・保温具１を椅子の背もたれ及び座の両方に装着して使用することもできる。また、上記実施形態では、蓄熱部材６０が横方向に延びながら収容室５に収容される収納部材３を中心に説明したが、蓄熱部材６０が縦方向に延びながら収容室５に収容される収納部材３であってもよい。
【符号の説明】
【００８９】
１：椅子用保冷・保温具
３：収納部材
５：収納室
１０：第一の生地
１２：周縁固着部
１５：バイピングテープ（ヘムテープ）
１６：コーナー部
２０：第二の生地
２２：不織布
２４：端部側間仕切部
２５：中央側間仕切部
２８：長手直交境界固着部
３０：袋状取付部材
３４：取付用開口部
４０：帯状取付部材
４２：横方向帯状体
４３：縦方向帯状体
４４：取付開口部
５０：芯材収容ポケット
５２：出し入れ開口
５４：芯材
５６：湾曲部
６０：蓄熱部材
６２：蓄熱要素
６３：ゲル状蓄熱材
６４：長手直交境界接合部
６５：長手直交周縁接合部
６６：長手周縁接合部
【図１】
2013184030.tif 000003
【図２】
2013184030.tif 000004
【図３】
2013184030.tif 000005
【図４】
2013184030.tif 000006
【図５】
2013184030.tif 000007
【図６】
2013184030.tif 000008
【図７】
2013184030.tif 000009
【図８】
2013184030.tif 000010
【図９】
2013184030.tif 000011
【図１０】
2013184030.tif 000012